(57)【要約】      （修正有）【課題】電力が不要で確実に攪拌する生ゴミ処理装置を提供する。【解決手段】生ゴミ及び微生物を含む媒体を収容する処理槽２０と、処理槽２０に生ゴミ及び／又は微生物を含む媒体を投入するために開閉する蓋体９０と、処理槽２０内で生ゴミ及び微生物を含む媒体を攪拌する攪拌部材３０と、蓋体９０と攪拌部材３０とに連結し、蓋体９０の開閉動作に応答して攪拌部材３０を回転させる連結機構と、を備える。【選択図】図１
0003207062.tif 000002
【実用新案登録請求の範囲】
【請求項１】
生ゴミ及び微生物を含む媒体を収容する処理槽と、
前記処理槽に生ゴミ及び／又は微生物を含む媒体を投入するために開閉する蓋体と、
前記処理槽内で前記生ゴミ及び微生物を含む媒体を攪拌する攪拌部と、
前記蓋体と前記攪拌部とに連結し、前記蓋体の開閉動作に応答して前記攪拌部を回転させる連結機構と、
を備える生ゴミ処理装置。
【請求項２】
前記攪拌部は攪拌部材と、
前記攪拌部材の回転中心に接続された回転軸と、
を備え、
前記連結機構は、前記攪拌部を一方向に回転させるラチェット機構と、
をさらに備える、
請求項１記載の生ゴミ処理装置。
【請求項３】
前記処理槽は下部に内容物を排出するために開閉する取出蓋を、
さらに備える、
請求項１又は２記載の生ゴミ処理装置。
【考案の詳細な説明】
【技術分野】
【０００１】
本考案は、生ゴミを処理する装置に関する。
【背景技術】
【０００２】
生ゴミを処理する装置として容器に生ゴミと微生物を含む媒体を収納して攪拌し、微生物などにより生ゴミを分解する装置が使用されている。
【０００３】
例えば、特許文献１には、攪拌槽に収納した生ゴミを、電動攪拌手段によって攪拌する生ゴミ処装置が記載されている。
【０００４】
また、特許文献２には、処理槽に収納した生ゴミや微生物の媒体を攪拌する、螺旋状の手動攪拌機構を有する家庭用生ゴミ処理装置が記載されている。
【先行技術文献】
【特許文献】
【０００５】
【特許文献１】特開平０８&#8212;１４１５４１号公報
【特許文献２】特開平１０&#8212;２４４２４４号公報
【考案の概要】
【考案が解決しようとする課題】
【０００６】
一般に微生物等により生ゴミを堆肥等に変える処理をする場合、生ゴミと微生物等を含む媒体を混合し攪拌する必要がある。特許文献１に記載されているような電動の生ゴミ処理装置では、攪拌部の駆動をモータにより行うため電力を必要とする。また一般に攪拌動作は低速回転で間欠運転を採用するのだが、そのための減速機や駆動制御装置も必要となる。
【０００７】
生ゴミ処理装置は臭気を発するため、屋外に設置することが一般的であるが、搭載した電気機器には屋外設置に対応した防水機構が必要となる。さらには屋外設置のための配電も必要となる。
【０００８】
また、生ゴミを投入するときに処理槽内部の攪拌部が作動してしまうと投入者の手等が巻き込まれるおそれがあるため、投入口が開いているときは攪拌部が動かなくなるような安全装置が必要となる。これらの理由により電動の生ゴミ処理装置は生産コスト及びランニングコストが高くなる。
【０００９】
また特許文献２に記載されているような生ゴミ処理装置では、ハンドルを手動で回転して生ゴミを攪拌する構造であるが、攪拌することを忘れてしまい生ゴミの処理が進まないことがある。また手動ハンドルによる駆動では十分な攪拌力を得られないため一度に処理出来る生ゴミの量に限りがある。
【００１０】
さらに一般の生ゴミ処理装置では、処理済みの堆肥を取り出す場合、生ゴミの投入部からすくい上げる必要があり、作業性が悪い。
【００１１】
本願考案では、電動機構を使用せず、確実に攪拌することを実現し、処理済みの堆肥を容易に取り出すことができる生ゴミ処理装置を提供することを目的とする。
【課題を解決するための手段】
【００１２】
上記目的を達成するため、この考案に係る生ゴミ処理装置は、
生ゴミ及び微生物を含む媒体を収容する処理槽（２０）と、
前記処理槽（２０）に生ゴミ及び／又は微生物を含む媒体を投入するために開閉する蓋体（９０）と、
前記処理槽（２０）内で前記生ゴミ及び微生物を含む媒体を攪拌する攪拌部（３０、１３０）と、
前記蓋体（９０）と前記攪拌部（３０、１３０）とに連結し、前記蓋体（９０）の開閉動作に応答して前記攪拌部（３０、１３０）を回転させる連結機構（４０、５０、６０、７０）と、
を備える生ゴミ処理装置（１）である。
【００１３】
例えば、
前記攪拌部は攪拌部材（３０）と、前記攪拌部材（３０）の回転中心に接続された回転軸（１３０）と、
を備え、
前記連結機構（４０、５０、６０、７０）は、前記攪拌部（３０、１３０）を一方向に回転させるラチェット機構（４０、５０）と、
をさらに備える、
請求項１記載の生ゴミ処理装置（１）である。
【００１４】
例えば、
前記処理槽（２０）は下部に内容物を排出するために開閉する取出蓋（８０）を、
さらに備える、
請求項１又は２記載の生ゴミ処理装置である。  
【考案の効果】
【００１５】
本考案によれば、攪拌部材を駆動するためのモータや制御装置を用いること無く生ゴミ及び微生物を含む媒体の攪拌が可能で有り生ゴミ処理装置の生産コストを低減することが出来る。攪拌部は生ゴミ及び／又は微生物を含む媒体を投入する蓋と連動するもので、生ゴミ及び／又は微生物を含む媒体を投入するときに蓋を開けていれば攪拌部が動かないので格別の安全装置を必要としない。その上で生ゴミ及び／又は微生物を含む媒体の投入時に蓋の開閉により自動的に攪拌するので生ゴミと微生物を含む媒体を攪拌する事を忘れることが無くなる。さらに処理済みの堆肥を処理槽下部から容易に取り出すことが出来る。
【図面の簡単な説明】
【００１６】
【図１】本願考案の実施の形態に係る生ゴミ処理装置の蓋体を閉じた状態の側面図である。
【図２】図１に示す生ゴミ処理装置の蓋体を開いた状態の側面図である。
【図３】図１に示す生ゴミ処理装置の正面図である。
【考案を実施するための形態】
【００１７】
以下に本願考案を実施する形態に係る生ゴミ処理装置を、図面を参照しながら説明する。
【００１８】
本実施の形態の生ゴミ処理装置１は、図１から図３に示すように、本体１２０に処理槽２０が配されている。処理槽２０を貫通して水平軸１３０が回転自在に配されている。処理槽２０内で水平軸１３０に攪拌部材３０が固定される。攪拌部材３０は水平軸１３０を回転中心として処理槽２０内で回転する。水平軸１３０の一端であり処理槽２０の外部に突出した端部にラチェット歯車４０が固定される。水平軸１３０のラチェット歯車４０が固定された位置の近傍にリンクＡ６０の一端が回転自在に配される。リンクＡ６０の他端はリンクＢ７０の一端に回転自在に配される。リンクＢ７０の他端は蓋体９０に回転自在に配される。蓋体９０は蝶番１１０を介して本体１２０と回転自在に配される。リンクＡ６０の中間部にラチェット爪５０が回転自在に配されバネ部材（図示せず）によりラチェット爪５０の爪部がラチェット歯車４０の歯部に常時当接するよう配される。
【００１９】
ラチェット歯車４０とラチェット爪５０とリンクＡ６０とリンクＢ７０とは、蓋体９０と水平軸１３０及び攪拌部材３０とを機械的に連結し、蓋体９０の開閉による力を攪拌部材３０の回転力に変換し、蓋体９０の開閉に攪拌部材３０の攪拌動作を連動させる連結機構として機能する。
【００２０】
以下に動作の説明をする。図１は蓋体９０を閉じた状態である。この状態から生ゴミ及び／又は微生物を含む媒体を投入するためにハンドル１００を作業者が手で持ち上げて蓋体９０を開く。蓋体９０は蝶番１１０の軸を中心軸として上方に開くことが出来る。蓋体９０を開いた状態が図２である。
【００２１】
蓋体９０にその一端が回転自在に連結されたリンクＢ７０は蓋体９０を開く動作に伴って上方に移動する。リンクＢ７０の他端に回転自在に連結されたリンクＡ６０の一端もリンクＢ７０の上昇に伴い上方に移動する。リンクＡ６０の他端は水平軸１３０に回転自在に配されているため、リンクＡ６０は水平軸１３０を回転の中心軸としてＲ２方向に回転する。
【００２２】
リンクＡ６０の中間部に回転自在に配されたラチェット爪５０もリンクＡ６０と共に水平軸１３０を中心軸としてＲ２方向に回転する。ラチェット爪５０の爪部はバネによりラチェット歯車４０の歯部に当接するが、ラチェット爪５０がＲ２方向へ回転する場合は爪と歯車が噛み合わず、ラチェット歯車４０、ラチェット歯車４０に固定された水平軸１３０及び攪拌部材３０を駆動することは無い。
【００２３】
蓋体９０を開いた状態で生ゴミ及び／又は微生物を含む媒体を投入する。このとき攪拌部材３０には駆動力が与えられないので、生ゴミ及び／又は微生物を含む媒体を投入中に攪拌部材３０が回転してしまい投入者の手を巻き込むなどのおそれは無く、生ゴミ又は微生物を含む媒体を投入する者への安全性も確保できる。
【００２４】
生ゴミ及び／又は微生物を含む媒体の投入が完了すると蓋体９０を閉じる。図２の状態から作業者がハンドル１００を持ち蓋体９０を閉じる。リンクＢ７０及びリンクＡ６０の位置が死点にある場合は作業者がもう一方の手でリンクＢ７０をハンドル１００側へ倒しながら蓋体９０を押し下げることで動きやすくなる。
【００２５】
蓋体９０を閉じることにより、リンクＢ７０は下方へ移動し、一端が水平軸に回転自在に配されたリンクＡ６０はＲ１方向へ回転する。リンクＡ６０の中間部に回転自在に配されたラチェット爪５０の爪部はラチェット歯車４０の歯部に噛み合う。その状態で蓋体９０を閉じていくと、ラチェット歯車４０、水平軸１３０はＲ１方向に回転する。処理槽２０内部の攪拌部材３０もＲ１方向へ水平軸１３０を回転中心として回転し処理槽２０内部の生ゴミと微生物を含む媒体を攪拌する。
【００２６】
攪拌部材３０が処理槽２０内の生ゴミ及び微生物を含む媒体を攪拌するため、蓋体９０を閉める動作は蓋体９０を開けるときよりも力が必要であるが、作業者が蓋体９０を押し下げる動作であるため体重をかけやすい。さらには蝶番１１０を支点、ハンドル１００を力点、リンクＢ７０と蓋体９０との接続部が作用点となる、てこの構成をなしており、攪拌部を回転する力が拡大されるので、特許文献２に記載されているような単純なハンドルによる回転よりも大きな回転力を発生し、より大きな量の生ゴミ及び微生物を含む媒体を攪拌することが可能となる。
【００２７】
生ゴミ及び／又は微生物を含む媒体を投入する時の、1回だけの蓋体９０の開閉だけでは攪拌が不十分だと考える場合であっても、内部を確認しながら蓋体９０を複数回開閉すればよいので問題とはならない。また１回の開閉動作で攪拌部が回転する量が１回転未満ではあるが、本生ゴミ処理装置１はラチェット機構による１方向への攪拌であり、複数回の開閉動作による攪拌で、攪拌されない部分が残ることは無いので問題にはならない。
【００２８】
本体１２０は架台２００に載置されており、処理槽２０の下に受け皿３００を配置し、処理槽２０下部に配された取出蓋８０を開いて、処理済みの堆肥を処理槽２０から取り出すことが出来る。
【００２９】
本実施例では処理槽（２０）内に配した水平軸（１３０）に取り付けた攪拌部材（３０）を回転させる構成としたが、攪拌部材（３０）を固定し、略円筒形状にした処理槽を回転する構成とし、蓋の開閉動作で当該処理槽を回転して攪拌する構成とすることも可能である。しかし処理槽を回転する構成では、生ゴミ及び／又は微生物を含む媒体を投入する時に処理槽に生ゴミ及び／又は微生物を含む媒体を投入する蓋等を上部の定位置に回転移動させる必要がある。それでは生ゴミ及び／又は微生物を含む媒体を投入するために処理槽の位置を調整する必要があるため操作が面倒になり実用的では無い。
【００３０】
以上、実施の形態に係る生ゴミ処理装置を説明したが、この考案はこれに限定されない。
例えば、処理槽の外形形状、サイズ、材質などは任意である。また蓋体９０も蝶番１１０により本体１２０に固定する例を示したが、生ゴミ及び／又は微生物を含む媒体の投入時にその処理槽を開閉できて、その開閉動作を攪拌部材の回転に変換できるものならばどのような構成を採用することも可能である。また、攪拌部材も処理槽内の生ゴミと微生物を含む媒体を攪拌できれば良く、羽根の数や形状、位置を任意に変更可能である。
連結機構も蓋体の開閉動作に連動して攪拌部材を回転駆動できるものであるならば任意の構成を採用可能で有り、例えば傘歯車を用いて水平軸の回転を垂直軸の回転に変換して、処理槽内に配した垂直軸に固定した攪拌部材を回転する構成を採用することも可能である。
【符号の説明】
【００３１】
１                    生ゴミ処理装置、
２０                  処理槽、
３０                  攪拌部材、
４０                  ラチェット歯車、
５０                  ラチェット爪、
６０、７０            リンク、
８０                  取出蓋、
９０                  蓋体、
１００                ハンドル、
１１０                蝶番、
１２０                本体、
２００                架台、
３００                受け皿
【図１】
0003207062.tif 000003
【図２】
0003207062.tif 000004
【図３】
0003207062.tif 000005